(57)【要約】      （修正有）【課題】安全で、照明効果を安定させるＬＥＤ電球を提供する。【解決手段】ＬＥＤ電球は、電球ヘッド、電源回路板アセンブリ２１、発光散熱ユニット、ランプシェード４０を備え、電球ヘッドは電球ヘッドインナースリーブ１１、導電弾性片、電極連接ユニットを備え、導電弾性片は電球ヘッドインナースリーブ１１内へ収容され、電極連接ユニットは電球ヘッドインナースリーブ１１下方に組み付けられ、電源回路板アセンブリ２１は電球ヘッドインナースリーブ１１上に組み付け、その下端には電源入力挿入ピン２３を設置し、発光散熱ユニットは電球ヘッド上に組み付け、同ユニット内に収容された電源回路板アセンブリ２１と電気的に連接し、ランプシェード４０は発光散熱ユニットの上に嵌合し、電極連接ユニットと導電弾性片、導電弾性片と電源入力挿入ピン２３の相互に対応した挿入挟持により、電気的連接を実現する。【選択図】図６
0003184142.tif 000002
【実用新案登録請求の範囲】
【請求項１】
LED電球は、電球ヘッド、電源回路板アセンブリ、発光散熱ユニット、ランプシェードを備え、
前記電球ヘッドは、電球ヘッドインナースリーブ、複数の導電弾性片、電極連接ユニットを備え、
前記導電弾性片は、間隔を開けて、前記電球ヘッドインナースリーブ内に収容されて組み付けられ、少なくとも１個の正極弾性片と少なくとも１個の負極弾性片を備え、
前記電極連接ユニットは、前記電球ヘッドインナースリーブ下方に組み付け、電球ヘッドアウタースリーブ、前記電球ヘッドアウタースリーブ下端に設置し、かつ前記電球ヘッドアウタースリーブ内に突出する正極連接ユニットを備え、
前記正極弾性片の一端は、前記正極連接ユニットの上端と、接触して導電し、
前記負極弾性片の一端は、前記電球ヘッドインナースリーブの外に突出し、前記電球ヘッドアウタースリーブと接触して導電し、
前記電源回路板アセンブリの下端には、２個の電源入力挿入ピンを設置し、前記電源回路板アセンブリは、前記電球ヘッドインナースリーブ上に組み付け、前記電源入力挿入ピンは、前記正極弾性片及び前記負極弾性片の他方の端と、それぞれ相互に対応して挿入し挟持し導電し、
前記発光散熱ユニットは、前記電球ヘッド上に組み付け、しかも前記電源回路板アセンブリと電気的に連接し、前記電源回路板アセンブリは、前記発光散熱ユニット内に収容し、
前記ランプシェードは、前記発光散熱ユニットの上に嵌合することを特徴とするLED電球。
【請求項２】
前記電球ヘッドインナースリーブの内壁には、相対する両側に、内側へと突出する一対の定位ブロックを形成し、
前記定位ブロック内側には共に、上方へと前記定位ブロック上表面に貫通する挿入槽を開設し、
前記電源回路板アセンブリの下端両側は、前記定位ブロックの挿入槽内にそれぞれ挿入して設置し固定することを特徴とする請求項１に記載のLED電球。
【請求項３】
前記正極弾性片は、長板状の第一連接部を備え、前記第一連接部の自由端には、挿入接続孔を開設し、
前記電球ヘッドインナースリーブは、その底壁に、穿孔を開設し、
前記挿入接続孔と前記穿孔とは、上下に対応して貫通し、
前記正極連接部品の上端は、前記穿孔と前記挿入接続孔を順番に貫通後、前記正極弾性片の第一連接部とリベット接続して接触し導電することを特徴とする請求項１に記載のLED電球。
【請求項４】
前記正極弾性片は、U形状の第一挿入接続部を備え、
前記電源回路板アセンブリの電源入力挿入ピンと前記第一挿入接続部は、相互に対応して挟持し導電することを特徴とする請求項１に記載のLED電球。
【請求項５】
前記正極弾性片は、直立板状の第一ベース、前記第一ベース下端から片側へと延伸して形成する第一連接部、前記第一ベース上端から反対側へと延伸して形成する第一挿入接続部を備え、
前記第一連接部と前記正極連接ユニットの上端は、リベット接続して接触し導電し、
前記電源回路板アセンブリの電源入力挿入ピンと前記正極弾性片の第一挿入接続部は、相互に対応して挟持し導電することを特徴とする請求項１に記載のLED電球。
【請求項６】
前記負極弾性片の一端は、外へと弧状に湾曲して第二挿入接続部を形成し、
前記電球ヘッドインナースリーブの下端外壁位置には、外ネジヤマを環状に設置し、
前記第二挿入接続部は、前記電球ヘッドインナースリーブの外に突出し、外ネジヤマと対応して接続し、
前記電球ヘッドアウタースリーブ内壁には、内ネジヤマを設置し、
前記電極連接ユニットは、内ネジヤマと外ネジヤマにより、前記電球ヘッドインナースリーブと螺合して一体に組み立てられ、前記第二接触接続部と前記電球ヘッドアウタースリーブとは、螺合して圧迫され接触して導電することを特徴とする請求項１に記載のLED電球。
【請求項７】
前記負極弾性片は、U形状の第二挿入接続部を備え、
前記電源回路板アセンブリの電源入力挿入ピンと前記第二挿入接続部とは、相互に挿入して挟持し導電することを特徴とする請求項１に記載のLED電球。
【請求項８】
前記負極弾性片はさらに、第二連接部を備え、
前記第二連接部は、前記第二挿入接続部の上端から、前記第二挿入接続部と反対の方向へと湾曲後、下方へと延伸して形成し、
前記第二連接部の下部は、外へと向かい、弧状に湾曲し、第二接触接続部を形成し、
前記第二接触接続部は、前記電球ヘッドインナースリーブの外に突出し、前記電球ヘッドアウタースリーブと、圧迫接触して導電することを特徴とする請求項７に記載のLED電球。
【請求項９】
前記負極弾性片の第二連接部の下端は、前記第二接触接続部と反対の片側へと湾曲し、停止部を形成し、
前記停止部は、前記電球ヘッドインナースリーブの外壁下方に接触して停止することを特徴とする請求項８に記載のLED電球。
【請求項１０】
前記電源回路板アセンブリ上端には、オスコネクターを設置し、
前記オスコネクターは、前記電源入力挿入ピンと電気的に連接し、
前記発光散熱ユニットの上端には、メスコネクターを設置し、
前記メスコネクターは、前記電源回路板アセンブリのオスコネクターと相互に対応して接続し、電気的連接を実現することを特徴とする請求項１に記載のLED電球。
【請求項１１】
前記オスコネクターは、オス端本体、オス端端子を備え、
前記オス端端子は、前記オス端本体上に組み付けて固定し、溶接アームと挿入接続アームを備え、
前記溶接アームと前記電源回路板アセンブリとは、相互に嵌合して一体に溶接され、しかも前記電源入力挿入ピンとそれぞれ電気的に連接し、
前記メスコネクターは、メス端本体、メス端端子を備え、
前記メス端本体には、上下に貫通する複数の端子槽を開設し、
前記メス端端子は、溶接部、一対の挟持部を備え、前記メス端端子は、前記端子槽内に収容され、
前記溶接部は、前記メス端本体の前端に突出し、しかも前記発光散熱ユニット上表面の対応接触点と、溶接されて一体に固定され、
前記オス端端子の挿入接続アームと前記メス端端子の挟持部とは、対応して挿入挟持され、電気的連接を実現することを特徴とする請求項１０に記載のLED電球。
【請求項１２】
前記メス端端子は、連接板、及び前記連接板両側縁から、向かい合って後へと傾斜して延伸し、さらに向い合い相互に湾曲して一体に対応して接続する対応挿入部を備え、
前記溶接部は、前記連接板の上端から、前方へと延伸して形成し、
前記挟持部は、対応挿入部の両側より、向かい合い、相互に陥没して形成することを特徴とする請求項１１に記載のLED電球。
【請求項１３】
前記メス端端子の連接板の上端両側縁は、向かい合って後方へと傾斜して延伸し、２個の係合固定板を形成し、
前記連接板の下部にはさらに、前方へと切り抜き、係合片を形成し、
前記係合固定板と前記メス端本体の端子槽の内壁とは相互に係合して固定され、
前記端子槽の内壁上には、凹槽を陥没状に設置し、前記係合片は、前記凹槽内に係合されることを特徴とする請求項１２に記載のLED電球。
【請求項１４】
前記メスコネクターのメス端本体は、ベースを備え、
前記ベース上端は、外向きに突出し、停止板を形成し、
前記ベース両側下端は、外向きに突出後、相対して傾斜し上方へと延伸して、一対の弾性アームを形成し、
前記メスコネクターは、前記停止板と前記弾性アームにより、挟持されて嵌合され、前記発光散熱ユニットの上端に固定されることを特徴とする請求項１１に記載のLED電球。
【請求項１５】
前記電球ヘッドインナースリーブの上端外壁位置には、環状の係合ロックリブと、少なくとも１個の定位部を突出状に設置し、
前記電球ヘッドインナースリーブの上端にはさらに、少なくとも１個の欠口を開設し、  前記発光散熱ユニットの下端口内壁位置には、環状の係合ロック槽、及び少なくとも１個の定位槽を開設し、
前記電球ヘッドインナースリーブの係合ロックリブと、前記発光散熱ユニットの係合ロック槽とは、圧迫挿入して係合し、一体に緊密に連接して固定し、前記定位部と前記定位槽とは、相互に係合して固定することを特徴とする請求項１に記載のLED電球。
【請求項１６】
LED電球は、電球ヘッド、電源回路板アセンブリ、発光散熱ユニット、ランプシェードを備え、
前記電球ヘッドは、電球ヘッドインナースリーブ、複数の導電弾性片、電極連接ユニットを備え、
前記導電弾性片は、間隔を開けて、前記電球ヘッドインナースリーブ内に収容されて組み付けられ、少なくとも１個の正極弾性片と少なくとも１個の負極弾性片を備え、
前記電極連接ユニットは、前記電球ヘッドインナースリーブ下方に組み付け、前記正極弾性片と前記負極弾性片の一端は、前記正極連接ユニットとそれぞれ接触して導電し、
前記電源回路板アセンブリの下端には、２個の電源入力挿入ピンを設置し、その上端には、前記電源入力挿入ピンと電気的に連接するオスコネクターを設置し、前記電源回路板アセンブリは、前記電球ヘッドインナースリーブ上に組み付け、前記電源入力挿入ピンは、前記正極弾性片及び前記負極弾性片の他方の端と、それぞれ接触して導電し、
前記発光散熱ユニットの上端には、メスコネクターを設置し、前記発光散熱ユニットは、前記電球ヘッド上に組み付けて固定し、前記電源回路板アセンブリは、前記発光散熱ユニット内に収容し、前記メスコネクターと前記オスコネクターとは、相互に対応して接続し、電気的連接を実現し、
前記ランプシェードは、前記発光散熱ユニットの上に嵌合することを特徴とするLED電球。  
【考案の詳細な説明】
【技術分野】
【０００１】
本考案は照明具に関し、特にLED電球に関する。
【背景技術】
【０００２】
体積が小さく、駆動電圧が低く、反応速度が速く、耐震性が高く、寿命が長く、環境に優しいなどの特性を備えるため、LEDは近年、伝統的な発光源に代わり、照明装置に広く応用されるようになっている。
【０００３】
テクノロジーの絶え間ない発展と進歩に従い、LEDの発光効率は白熱灯のそれをとっくに超越し、今では蛍光灯を凌駕しようとしている。これに加え、「軽くて薄くてコンパクト」が求められる電子部品の分野において、LED電球は、白熱灯に徐々に置換しており、大量かつ幅広く使用されるようになっている。従来のLED電球は、電球ヘッド、電源回路板アセンブリ、発光散熱ユニット、ランプシェードを備える。電球ヘッドと電源回路板アセンブリ、及び電源回路板アセンブリと発光散熱ユニットとの間は、導線を溶接、或いはネジを用いて導線を押さえる方式で、電気的連接を行う。
【０００４】
一方、照明具の内部空間は小さめであるため、使用時には、内部の温度が高くなりやすい。この状況で、長い導線を、照明具内部にむやみに押し込めば、導線の破損、導線の溶接点のぐらつきや脱落、導線導体に対するネジの圧迫固定の緩みなどの現象を発生し易い。これにより、ショート、断線、照明の不安定を招き、深刻な場合には照明具が焼けて損壊し、また漏電などの事故が起きる恐れさえある。
本考案は、従来のLED電球の上記した欠点に鑑みてなされたものである。
【考案の概要】
【考案が解決しようとする課題】
【０００５】
本考案が解決しようとする課題は、LED電球を安全に使用でき、照明効果をさらに安定させられるLED電球を提供することである。
【課題を解決するための手段】
【０００６】
上記課題を解決するため、本考案は下記のLED電球を提供する。
LED電球は、電球ヘッド、電源回路板アセンブリ、発光散熱ユニット、ランプシェードを備え、
該電球ヘッドは、電球ヘッドインナースリーブ、複数の導電弾性片、電極連接ユニットを備え、
該導電弾性片は、間隔を開けて、該電球ヘッドインナースリーブ内に収容されて組み付けられ、少なくとも１個の正極弾性片と少なくとも１個の負極弾性片を備え、
該電極連接ユニットは、該電球ヘッドインナースリーブ下方に組み付け、電球ヘッドアウタースリーブ、該電球ヘッドアウタースリーブ下端に設置し、かつ該電球ヘッドアウタースリーブ内に突出する正極連接ユニットを備え、
該正極弾性片の一端は、該正極連接ユニットの上端と、接触して導電し、
該負極弾性片の一端は、該電球ヘッドインナースリーブの外に突出し、該電球ヘッドアウタースリーブと接触して導電し、
該電源回路板アセンブリの下端には、２個の電源入力挿入ピンを設置し、該電源回路板アセンブリは、該電球ヘッドインナースリーブ上に組み付け、該電源入力挿入ピンは、該正極弾性片及び該負極弾性片の他方の端と、それぞれ相互に対応して挿入し挟持し導電し、
該発光散熱ユニットは、該電球ヘッド上に組み付け、しかも該電源回路板アセンブリと電気的に連接し、該電源回路板アセンブリは、該発光散熱ユニット内に収容し、
該ランプシェードは、該発光散熱ユニットの上に嵌合する。
【考案の効果】
【０００７】
本考案のLED電球は、電球ヘッドの電極連接ユニットと電球ヘッドの導電弾性片、電球ヘッドの導電弾性片と電源回路板アセンブリの電源入力挿入ピンの、相互に対応した挿入挟持により、電気的連接を実現し、その連接方式は、導線の溶接を必要とせず、或いはネジによる導線の直接圧迫を必要とせず、導電などのプロセスを行うことができ、照明具内部空間を効果的に節減でき、しかもこの連接方式により、使用時に内部の温度が高くなっても、各導電接触点の導電性能は比較的安定し、これによりLED電球を安全に使用でき、照明効果をさらに安定させることができる。
【図面の簡単な説明】
【０００８】
【図１】LED電球の立体組合せ図である。
【図２】図１に示すLED電球の立体分解図である。
【図３】図２に示すLED電球の電球ヘッドインナースリーブの立体図である。
【図４】図２に示すLED電球の正極弾性片と負極弾性片の立体図である。
【図５】図２に示すLED電球のメスコネクターの立体分解図である。
【図６】図１に示すLED電球の断面図である。
【図７】図６に示すB部分の局部拡大図である。
【図８】図６に示すA部分の局部拡大図である。
【考案を実施するための形態】
【０００９】
以下に図面を参照しながら本考案を実施するための最良の形態について詳細に説明する。
【実施例】
【００１０】
図１、図２、図６に示すように、本考案LED電球１００は、電球ヘッド１０、電源駆動部品２０、発光散熱ユニット３０、ランプシェード４０を備える。電源駆動部品２０は、電源回路板アセンブリ２１を備える。電源回路板アセンブリ２１は、電球ヘッド１０上に立てて組み付け、しかも電球ヘッド１０と電気的に連接する。発光散熱アセンブリ３０は、電球ヘッド１０上に組み付けて固定し、しかも電源回路板アセンブリ２１と電気的に連接する。電源回路板アセンブリ２１は、発光散熱ユニット３０内に収容される。ランプシェード４０は、発光散熱ユニット３０上に嵌合する。
【００１１】
図１〜図３に示すように、電球ヘッド１０は、電球ヘッドインナースリーブ１１、複数の導電弾性片、電極連接ユニット１４を備える。電球ヘッドインナースリーブ１１は、中空で、上端に開口を形成する円錐台状を呈し、その内壁上部には、相対する両側に、内側へと突出する一対の定位ブロック１１aを形成する。定位ブロック１１a内側には共に、上方へと定位ブロック１１a上表面に貫通する挿入槽１１bを開設する。電球ヘッドインナースリーブ１１の内壁下部には、相対する両側に、内側へと突出し、相互に間隔を開けた一対の固定保持ブロック１１１とU形状の収容設置枠１１２とを形成する。固定保持ブロック１１１両内側上端には、一対の固定保持槽１１３を相対して開設する。固定保持槽１１３はさらに、固定保持ブロック１１１の上表面へと貫通する。収容設置枠１１２内部には、収容設置槽１１４を区画し、収容設置槽１１４はさらに、外へ向かい電球ヘッドインナースリーブ１１を貫通し、外部と連通する。その内壁底部には、サポート板１１５を突出状に設置し、しかもその相対する両内側にはさらに、一対の係合槽１１６を陥没状に形成する。電球ヘッドインナースリーブ１１は、その底壁中部に、穿孔１２０を開設する。電球ヘッドインナースリーブ１１の下端外壁位置には、外ネジヤマ１１０を環状に設置する。電球ヘッドインナースリーブ１１の上端外壁位置には、環状の係合ロックリブ１１７と、少なくとも１個の定位部１１８を突出状に設置する。電球ヘッドインナースリーブ１１の上端にはさらに、少なくとも１個の欠口１１９を開設する。本実施例では、電球ヘッドインナースリーブ１１の上端には、一対の欠口１１９を開設する。欠口１１９は、電球ヘッドインナースリーブ１１の上端を半分に分割する。定位部１１８が２個あるなら、それはそれぞれ各半分の中央部位置に、突出状に設置する。
【００１２】
図２〜図４に示すように、導電弾性片は、間隔を開けて、電球ヘッドインナースリーブ１１内に収容されて組み付けられ、少なくとも１個の正極弾性片１２と少なくとも１個の負極弾性片１３を備える。正極弾性片１２は、直立板状の第一ベース１２１、第一ベース１２１下端から片側へと延伸して形成する長板状の第一連接部１２２、第一ベース１２１上端から反対側へと延伸して形成する第一挿入接続部１２３を備える。第一挿入接続部１２３は、U形状を呈し、その両腕上部は、相互に向かい合い傾斜して湾曲する。これにより、第一挿入接続部１２３は、比較的大きな挿抜力を受け止めることができる。第一ベース１２１の両側縁は相対して突出し、２個の固定保持部１２４を形成する。固定保持部１２４の片側面上は、外向きに突出し、干渉ブロック１２５を設置する。第一連接部１２２の自由端には、挿入接続孔１２６を開設する。
【００１３】
負極弾性片１３は、直立板状の第二挿入接続部１３０、第二連接部１３２を備える。第二連接部１３２は、第二挿入接続部１３０の上端から、第二挿入接続部１３０と反対の方向へと湾曲後、下方へと延伸して形成する。第二連接部１３２の下部は、第二挿入接続部１３０と背中合わせに、外へと向かい、弧状に湾曲し、第二接触接続部１３５を形成する。第二連接部１３２の下端は、第二接触接続部１３５と反対の片側へと湾曲し、停止部１３６を形成する。具体的には、第二挿入接続部１３０は、直立板状の第二ベース１３１、第二ベース１３１下端から湾曲して上方へと延伸して形成する第一接触接続部１３３を備える。第一接触接続部１３３の上部は、第二ベース１３１へと傾斜して湾曲し、これにより第二挿入接続部１３０は、比較的大きな挿抜力を受け止めることができる。第二ベース１３１の両側縁は相対して突出し、２個の係合固定部１３４を形成する。
【００１４】
正極弾性片１２の固定保持部１２４は、電球ヘッドインナースリーブ１１の固定保持ブロック１１１の固定保持槽１１３内に挿入して設置される。しかも、干渉ブロック１２５と固定保持槽１１３の干渉係合により、第一ベース１２１と第一挿入接続部１２３は、固定保持ブロック１１１の間に安定的に位置する。第一連接部１２２は、電球ヘッドインナースリーブ１１の底壁上に緊密に接触する。これにより、挿入接続孔１２６と穿孔１２０とは、上下に対応して連通する。負極弾性片１３は、電球ヘッドインナースリーブ１１の収容設置槽１１４内に組み付けて収容され、しかも係合固定部１３４により、係合槽１１６と係合して固定される。第一接触接続部１３３と第二ベース１３１の湾曲連接位置は、サポート板１１５上に接触する。停止部１３６は、電球ヘッドインナースリーブ１１の底壁下方に止まり、第二接触接続部１３５は、収容設置槽１１４により電球ヘッドインナースリーブ１１の外に突出し、外ネジヤマ１１０と対応して接続する。
【００１５】
図１、図２、図６、図７に示すように、電極連接ユニット１４は、電球ヘッドインナースリーブ１１下方に組み付け、円筒状を呈する電球ヘッドアウタースリーブ１４１、電球ヘッドアウタースリーブ１４１下端に設置し、かつ電球ヘッドアウタースリーブ１４１内に突出する正極連接部品１４２を備える。正極弾性片１２の一端は、正極連接部品１４２の上端と、リベット接続して接触し導電する。負極弾性片１３の一端は、電球ヘッドインナースリーブ１１の外に突出し、電球ヘッドアウタースリーブ１４１と螺旋により圧迫され、接触して導電する。
具体的には、正極弾性片１２とは、正極連接部品１４２上端により、穿孔１２０と挿入接続孔１２６を順番に貫通後、第一連接部１２２とリベット接続して接触し導電する。電球ヘッドアウタースリーブ１４１内壁には、電球ヘッドインナースリーブ１１の外ネジヤマ１１０と相互に対応する内ネジヤマ１４３を環状に設置する。電極連接ユニット１４は、内ネジヤマ１４３と外ネジヤマ１１０により、電球ヘッドインナースリーブ１１と螺合して一体に組み立てられる。こうして、負極弾性片１３の第二接触接続部１３５と電球ヘッドアウタースリーブ１４１は、螺合して圧迫され、接触して導電する。
さらに、正極連接部品１４２は、リベット１４４、及びリベット１４４外に嵌めて設置するリベットカバー１４５により組成する。
正極弾性片１２と正極連接部品１４２は、リベット１４４上端により、穿孔１２０と挿入接続孔１２６を順番に貫通後、第一連接部１２２とリベット接続して接触し導電する。
【００１６】
図２、図６、図７に示すように、電源駆動部品２０の電源回路板アセンブリ２１は、電球ヘッドインナースリーブ１１上に直立させて組み付ける。その下端両側は、定位ブロック１１aの挿入槽１１b内にそれぞれ挿入して設置し、固定する。これにより、電源回路板アセンブリ２１は、電球ヘッドインナースリーブ１１の上に安定的かつ堅固に組み付けられる。
電源回路板アセンブリ２１下端両側には、下方へと突出する電源入力挿入ピン２３をそれぞれ設置する。
電源入力挿入ピン２３は、正極弾性片１２及び負極弾性片１３の他方の端と、それぞれ相互に対応して挿入し挟持し、接触して導電する。
具体的には、電源入力挿入ピン２３は、板状を呈し、正極弾性片１２の第一挿入接続部１２３及び負極弾性片１３の第二挿入接続部１３０と、相互に対応して挿入し、挟持して導電する。
【００１７】
電源回路板アセンブリ２１上端には、電源入力挿入ピン２３と電気的に連接するオスコネクター２４を設置する。オスコネクター２４は、オス端本体２４１、及びオス端端子２４２を備える。オス端端子２４２は、オス端本体２４１上に組み付けて固定し、それぞれL形状を呈し、溶接アーム２４３と挿入接続アーム２４４を備える。溶接アーム２４３と電源回路板アセンブリ２１とは、相互に嵌合して一体に溶接され、しかも電源入力挿入ピン２３とそれぞれ電気的に連接する。電源駆動部品２０はさらに、外殻２２を備える。外殻２２は、円筒状を呈し、電源回路板アセンブリ２１外に嵌めて設置する。外殻２２の上端面には、オスコネクター２４位置に対応し、開口２２１を開設する。これにより、オス端端子２４２の挿入接続アーム２４４は、外に突出する。外殻２２の上端面にはさらに、下方へと陥没する複数の螺合固定槽２２２を設置する。
【００１８】
図２、図６、図７に示すように、発光散熱ユニット３０の下端口内壁には、環状の係合ロック槽３１１、及び少なくとも１個の定位槽(図示なし)を開設する。電球ヘッドインナースリーブ１１の係合ロックリブ１１７と、発光散熱ユニット３０の係合ロック槽３１１とは、圧迫挿入して係合し、一体に緊密に連接して固定する。定位部１１８と定位槽とは、相互に係合して固定する。
【００１９】
発光散熱ユニット３０の上端には、メスコネクター３５を設置する。メスコネクター３５は、電源回路板アセンブリ２１のオスコネクター２４と相互に対応して接続し、電気的連接を実現する。具体的には、本実施例中では、発光散熱ユニット３０は、散熱器主体３１、散熱器封鎖片３２、ランプシェード連接リング３３、ランプ基板３４、及びランプ基板３４上に組み付けるメスコネクター３５を備える。散熱器主体３１は、複数の散熱フィンが取り囲み円錐台状を形成し、その下端口内壁位置には、係合ロック槽３１１と定位槽を開設する。発光散熱ユニット３０は、散熱器主体３１により、電球ヘッドインナースリーブ１１の上に組み付けて固定される。電源駆動部品２０の電源回路板アセンブリ２１と外殻２２は、散熱器主体３１内に収容される。組立て時には、電球ヘッドインナースリーブ１１は、欠口１１９の開設により、電球ヘッドインナースリーブ１１と散熱器主体３１とは、組立てが容易となるが、取り外しは難しくなり、しかも上記した係合ロック方式は、高温環境下でも緩みや脱落しにくいという特徴がある。
【００２０】
散熱器封鎖片３２は、散熱器主体３１の上端口に蓋をして設置し、その上には、外殻２２の開口２２１と相互に対応する窓口３２１、及び外殻２２の螺合固定相２２２と相互に対応する複数の貫通孔３２２を設置する。ランプシェード連接リング３３は、散熱器主体３１の上端に嵌めて固定する。
【００２１】
図２、６に示すように、ランプ基板３４は、散熱器封鎖片３２上に組み付けて固定し、その上には、散熱器封鎖片３２と相互に対応する複数の螺合固定孔３４１を開設する。複数の螺合固定部品３８は、螺合固定孔３４１、貫通孔３２２、螺合固定槽２２２内に、順番に挿入して螺合する。これにより、ランプ基板３４、散熱器封鎖片３２、外殻２２とは組み立てられ、一体に固定される。本実施例中では、螺合固定部品３８はネジである。
【００２２】
図５に示すように、メスコネクター３５は、メス端本体３６、メス端端子３７を備える。メス端本体３６には、上下に貫通する端子槽３６４を開設する。メス端端子３７は、端子槽３６４内に収容する。具体的には、メス端本体３６は、ブロック状ベース３６１を備える。ベース３６１上端は、停止板３６２を、環状に外に向かい突出して形成する。ベース３６１両側下端は、外向きに突出後、相対して傾斜し上方へと延伸して、一対の弾性アーム３６３を形成する。端子槽３６４は、ベース３６１上に上下に貫通して開設する。端子槽３６４の内壁上には、凹槽３６５を陥没状に設置する。メス端端子３７は、溶接部３７３、一対の挟持部３７４をそれぞれ備える。具体的には、メス端端子３７はさらに、直立板状の連接板３７１、連接板３７１下端両側縁から、向かい合って後へと傾斜して延伸し、さらに向い合い相互に湾曲して一体に対応して接続する対応挿入部３７２を備える。溶接部３７３は連接板３７１の上端から、連接板３７１に垂直な方向に、前方へと延伸し、湾曲して形成する。挟持部３７４は、対応挿入部３７２の両側上部より、外側から向かい合い、相互に陥没して形成する。連接板３７１の下部にはさらに、前方へと切り抜き、係合片３７６を形成する。
【００２３】
メスコネクター３５の組立て時、メス端端子３７の連接板３７１と対応挿入部３７２は、メス端本体３６の端子槽３６４内にそれぞれ収容される。溶接部３７３は、停止板３６２を通過し、メス端本体３６の前端に突出する。係合固定板３７５と端子槽３６４の内壁は、相互に係合して固定され、係合片３７６は、凹槽３６５内に係合する。こうして、メス端端子３７は、メス端本体３６上に安定的かつ堅固に組み付けられる。
【００２４】
図２、図６、図８に示すように、メスコネクター３５は、停止板３６２と弾性アーム３６３により挟持され、発光散熱ユニット３０の上端に、嵌合して固定される。具体的には、停止板３６２は、ランプ基板３４の上表面に緊密に接触し、メス端端子３７の溶接部３７３と発光散熱ユニット３０のランプ基板３４上表面の相互に対応する接触点は溶接され、一体に固定される。
メス端本体３６の弾性アーム３６３の上端は、ランプ基板３４の下表面上に接触し、これによりメスコネクター３５とランプ基板３４とは、堅固かつ安定的に一体に組立てられる。メスコネクター３５の下部は、散熱器封鎖片３２の窓口３２１と外殻２２の開口２２１内に挿入して収容され、これにより電源回路板アセンブリ２１のオスコネクター２４と相互に対応して接続する。オス端端子２４２の挿入接続アーム２４４とメス端端子３７の挟持部３７４とは、対応して挟持され、電気的連接を実現する。
この後、ランプシェード４０と発光散熱ユニット３０のランプシェード連接リング３３とは、相互に嵌合して一体となる。
【００２５】
上記したように、本考案LED電球１００は、電球ヘッド１０の電極連接ユニット１４と電球ヘッド１０の導電弾性片、電球ヘッド１０の導電弾性片と電源回路板アセンブリ２１の電源入力挿入ピン２３、及び電源回路板アセンブリ２１のオスコネクターと発光散熱ユニット３０のメスコネクター３５の、相互に対応した挿入挟持により、電気的連接を実現する。その連接方式は、導線の溶接を必要とせず、或いはネジによる導線の直接圧迫を必要とせず、導電などのプロセスを行うことができ、照明具内部空間を効果的に節減できる。しかも、この連接方式により、使用時に内部の温度が高くなっても、各導電接触点の導電性能は比較的安定し、これによりLED電球１００を安全に使用でき、照明効果はさらに安定する。
【００２６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２８】
１００  LED電球
１０  電球ヘッド
１１  インナースリーブ
１１a  定位ブロック
１１b  挿入槽
１１０  外ネジヤマ
１１１  固定保持ブロック
１１２  収容設置枠
１１３  固定保持槽
１１４  収容設置槽
１１５  サポート板
１１６  係合槽
１１７  係合ロックリブ
１１８  定位部
１１９  欠口
１２０  穿孔
１２  正極弾性片
１２１  第一ベース
１２２  第一連接部
１２３  第一挿入接続部
１２４  固定保持部
１２５  干渉ブロック
１２６  挿入接続孔
１３  負極弾性片
１３０  第二挿入接続部
１３１  第二ベース
１３２  第二連接部
１３３  第一接触接続部
１３４  係合固定部
１３５  第二接触接続部
１３６  停止部
１４  電極連接ユニット
１４１  電球ヘッドアウタースリーブ
１４２  正極連接部品
１４３  内ネジヤマ
１４４  リベット
１４５  リベットカバー
２０  電源駆動部品
２１  電源回路板アセンブリ
２２  外殻
２２１  開口
２２２  螺合固定槽
２３  電源入力挿入ピン
２４  オスコネクター
２４１  オス端本体
２４２  オス端端子
２４３  溶接アーム
２４４  挿入接続アーム
３０  発光散熱ユニット
３１  散熱器主体
３１１  係合ロック槽
３２  散熱器封鎖片
３２１  窓口
３２２  貫通孔
３３  ランプシェード連接リング
３４  ランプ基板
３４１  螺合固定孔
３５  メスコネクター
３６  メス端本体
３６１  ベース
３６２  停止板
３６３  弾性アーム
３６４  端子槽
３６５  凹槽
３７  メス端端子
３７１  連接板
３７２  対応挿入部
３７３  溶接部
３７４  挟持部
３７５  係合固定板
３７６  係合片
３８  螺合固定部品
４０  ランプシェード
【図１】
0003184142.tif 000003
【図２】
0003184142.tif 000004
【図３】
0003184142.tif 000005
【図４】
0003184142.tif 000006
【図５】
0003184142.tif 000007
【図６】
0003184142.tif 000008
【図７】
0003184142.tif 000009
【図８】
0003184142.tif 000010